(57)【要約】【課題】ハイライトシーンを検出してダビングし、ハイライトシーンを集めた記録媒体を自動的に作成する。【解決手段】ダビング装置１は、ハードディスク装置７に記録された動画をＤＶＤドライブ部８に受け入れたＤＶＤへダビングする。ダビングの際、ハイライトダビング指示をユーザから受け付けると、ダビング元の動画の音声レベルを基準音声レベルと比較し、基準音声レベル以上になるレベル超過場面と、レベル超過場面から連続して基準音声レベル以上になる範囲の終点場面とをダビング部分として特定し、特定した各場面の位置をＣＰＵ１０の第２メモリ部１０ｂに記録する。動画の最後までダビング部の特定処理が終えると、第２メモリ部１０ｂの記録内容で規定されるダビング部分をＤＶＤへダビングする。【選択図】図１
2007174185.tif 000002
【特許請求の範囲】
【請求項１】
一の記録媒体に記録された動画を他の記録媒体にダビングするダビング手段を備えるダビング装置において、
動画に含まれるハイライトに応じた部分をダビングするハイライトダビング指示を受け付ける手段と、
ハイライトダビング指示を受け付けた場合、動画の内容を基準レベルに対して比較する比較手段と、
該比較手段の比較結果に基づいて基準レベルを超える動画中のレベル超過場面を検出する検出手段と、
該検出手段が検出したレベル超過場面を含む範囲をダビング部分に特定する特定手段とを備え、
前記ダビング手段は、前記特定手段が特定したダビング部分をダビングすることを特徴とするダビング装置。
【請求項２】
前記特定手段は、前記レベル超過場面から時間的に前方の前方範囲及び／又は前記レベル超過場面から時間的に後方の後方範囲をダビング部分に含めるようにしてある請求項１に記載のダビング装置。
【請求項３】
前記検出手段は、前記レベル超過場面から連続して基準レベル以上になる範囲の終点場面を検出する手段を備え、
前記特定手段は、前記レベル超過場面から終点場面までの範囲と、前記レベル超過場面から時間的に前方の前方範囲及び／又は前記終点場面から時間的に後方の後方範囲とをダビング部分に含めるようにしてある請求項１に記載のダビング装置。
【請求項４】
前記特定手段が前方範囲及び／又は後方範囲をダビング部分に含める場合で複数のダビング部分を特定するとき、時間的に前後するダビング部分が重複するか否かを検出する重複検出手段を備え、
該重複検出手段が重複することを検出した場合、前記ダビング手段は時間的に前側のダビング部分の開始点から時間的に後側のダビング部分の終了点までを連続してダビングするようにしてある請求項２又は請求項３に記載のダビング装置。
【請求項５】
前記前方範囲及び／又は後方範囲の時間を受け付ける時間受付手段を備える請求項２乃至請求項４のいずれか１つに記載のダビング装置。
【請求項６】
ハイライトダビング指示を受け付けた場合、記録媒体への記録時速度より早い速度で動画を早送り再生する手段を備え、
前記比較手段は、早送り再生される動画で基準レベルに対する比較を行うようにしてあり、
前記ダビング手段がダビングを行うときに動画の再生速度を記録時速度に変更する手段を備える請求項１乃至請求項５のいずれか１つに記載のダビング装置。
【発明の詳細な説明】
【技術分野】
【０００１】
本発明は、ダビング元の記録媒体に記録された動画のハイライトシーンをダビング先の記録媒体にダビングして、ハイライトシーンを集めた記録媒体を容易に作成できるようにしたダビング装置に関する。
【背景技術】
【０００２】
従来、一の記録媒体から他の記録媒体へデータをダビングできるダビング装置が存在する。近時は、ダビング対象になるデータを多量に蓄えられるようにダビング元の記録媒体として大記録容量のハードディスク装置を内蔵すると共に、ダビング先の記録媒体としてＤＶＤ（Digital Versatile Disk）のような光ディスクを受け入れ可能なドライブ装置を具備したダビング装置が一般的になっている。
【０００３】
このようなダビング装置は通常、ダビングの元データとして、テレビジョン放送の番組を取得できるようにチューナを内蔵すると共に、デジタルビデオカメラ及び他のダビング装置と云った外部機器が有するデータもダビングの元データとして利用できるように、外部機器を接続できる外部接続端子を設けている。
【０００４】
一方、記録媒体に録画したテレビジョン放送の番組に含まれるハイライト部分のみを効率的に視聴できるようにした記録再生装置が特許文献１で開示されている。この特許文献１の記録再生装置は、再生される番組の画像内容又は音声内容に基づいて番組内の盛り上がり部分（ハイライトシーン）の位置を検出し、その検出位置を中心に前後の区間を通常再生し、それ以外の区間を早送り再生するものである。
【特許文献１】特開平１１−５５６１３号公報
【発明の開示】
【発明が解決しようとする課題】
【０００５】
従来のダビング装置は、ユーザのマニュアル操作によりダビング内容を編集できるようになっており、例えば、録画したテレビジョン放送番組の中からハイライトシーンのみをピックアップしてＤＶＤへダビングし、ハイライトシーンのみを集めたＤＶＤを作成することも可能である。しかし、このようにハイライトシーンのみをダビングする場合、ユーザは録画したテレビジョン放送番組の内容を逐次確認してハイライトシーンに相当する範囲を特定し、その特定した範囲をダビングすると云う編集作業が要求される。そのため、ハイライトシーンのみをダビングするには、編集に対する作業及び操作負担が非常に大きいと云う問題がある。
【０００６】
一方、特許文献１に係る記録再生装置は、単にハイライトシーンを効率的に視聴することを目的にするため、ハイライトシーンを自動的に他の記録媒体へダビングすることまで行えない。従って、特許文献１に係る記録再生装置を用いてハイライトシーンのダビングを試みても、やはりユーザが主体的に編集作業を行う必要があり、しかも、ハイライトシーン以外は自動的に早送り再生されるので、かえって編集作業が困難になる上、編集時にユーザの意志とは無関係に早送り再生される映像の視聴を強いられる問題がある。
【０００７】
また、特許文献１に係る記録再生装置では、複数のハイライトシーンを検出した場合で時間的に前後するハイライトシーンの間隔が短いとき、前後する通常再生の対象範囲が部分的に重複することもあり、このときは重複する箇所が二度再生されるため、ユーザの編集作業が一段と妨げられる。
【０００８】
本発明は、斯かる問題に鑑みてなされたものであり、ダビング元の記録媒体に記録された動画中のハイライトシーンを自動的に検出してダビングすることで、特別な編集作業を行うことなくハイライトシーンを集めた記録媒体を容易に作成できるダビング装置を提供することを目的とする。
また、本発明は、ハイライトシーンの前後も適宜ダビング対象に含ませるようにして、ハイライトシーンを集めた記録媒体を再生した場合に、ハイライトシーンへ至る過程及びハイライトシーンの経過後の余韻などもユーザが楽しめるようにしたダビング装置を提供することを目的とする。
さらに、本発明は、短い時間間隔で前後するハイライトシーンを重複することなく自動ダビングできるようにしたダビング装置を提供することを目的とする。
【課題を解決するための手段】
【０００９】
上記課題を解決するために本発明に係るダビング装置は、一の記録媒体に記録された動画を他の記録媒体にダビングするダビング手段を備えるダビング装置において、動画に含まれるハイライトに応じた部分をダビングするハイライトダビング指示を受け付ける手段と、ハイライトダビング指示を受け付けた場合、動画の内容を基準レベルに対して比較する比較手段と、該比較手段の比較結果に基づいて基準レベルを超える動画中のレベル超過場面を検出する検出手段と、該検出手段が検出したレベル超過場面を含む範囲をダビング部分に特定する特定手段とを備え、前記ダビング手段は、前記特定手段が特定したダビング部分をダビングすることを特徴とする。
【００１０】
本発明にあっては、ユーザからハイライトダビング指示を受け付けると、基準レベルを超える動画中のレベル超過場面を検出すると共に、検出したレベル超過場面を含む範囲をダビングするので、ユーザは編集作業を行わなくても、ハイライトに応じた部分を自動でダビングでき、ハイライトシーンを集めた記録媒体を容易に作成できる。なお、ダビングできる対象は、ダビング元の記録媒体に記録された動画であれば、テレビジョン放送の番組以外に、デジタルビデオカメラのような外部機器から取得した動画もダビング対象に含むことができる。
【００１１】
また、動画の内容を基準レベルに対して比較する処理の具体例としては、動画を構成する画像の変化（画像に含まれる物体の移動に係るベクトル量、背景の変化の具合）を予め規定した画像の基準変化レベルと比較すること、動画に含まれる音声に係るレベル（音声レベル、音声のピークスペクトル、音声の信号レベルなど）を基準音声レベルと比較することが挙げられる。特に、音声に係るレベルを基準音声レベルと比較する場合、音声の変化とハイライトシーンが密接に関連する各種スポーツ番組、お笑い番組をダビング対象にすると、動画の画像内容に左右されることなくハイライトシーンを的確にダビングしやすくなる。
【００１２】
本発明に係るダビング装置は、前記特定手段は、前記レベル超過場面から時間的に前方の前方範囲及び／又は前記レベル超過場面から時間的に後方の後方範囲をダビング部分に含めるようにしてあることを特徴とする。
本発明にあっては、レベル超過場面の前方範囲と後方範囲とのいずれか一方又は両方をダビング部分に含めるので、前方範囲を含める場合はレベル超過場面に至る過程もダビングでき、後方範囲を含める場合はレベル超過場面に続く内容もダビングでき、ハイライトシーンを適度の範囲で確実にダビングできるようになる。
【００１３】
本発明に係るダビング装置は、前記検出手段は、前記レベル超過場面から連続して基準レベル以上になる範囲の終点場面を検出する手段を備え、前記特定手段は、前記レベル超過場面から終点場面までの範囲と、前記レベル超過場面から時間的に前方の前方範囲及び／又は前記終点場面から時間的に後方の後方範囲とをダビング部分に含めるようにしてあることを特徴とする。
【００１４】
本発明にあっては、レベル超過場面から終点場面までの範囲をダビング部分に含めるので、一定時間連続するハイライトシーンを確実にダビングできる上、レベル超過場面の前方範囲と終点場面の後方範囲とのいずれか一方又は両方をダビング部分に含めるので、ハイライトシーンの周辺内容もダビングできる。即ち、前方範囲をダビング部分に含めた場合、ダビング内容を再生すると、ユーザはハイライトシーンへ至る過程を確認でき、ハイライトシーンの理解を深められる。また、後方範囲をダビング部分に含めた場合、ダビング内容を再生すると、ユーザは終点範囲の経過後の内容も確認でき、ハイライトシーンの余韻を楽しむことができる。
【００１５】
本発明に係るダビング装置は、前記特定手段が前方範囲及び／又は後方範囲をダビング部分に含める場合で複数のダビング部分を特定するとき、時間的に前後するダビング部分が重複するか否かを検出する重複検出手段を備え、該重複検出手段が重複することを検出した場合、前記ダビング手段は時間的に前側のダビング部分の開始点から時間的に後側のダビング部分の終了点までを連続してダビングするようにしてあることを特徴とする。
【００１６】
本発明にあっては、時間的に前後するダビング部分が重複する場合、前側のダビング部分の開始点から後側のダビング部分の終了点までを連続してダビングするので、重複箇所が計２回ダビングされることを解消でき、短い間隔で前後するダビング部分を一つにまとめてダビング処理の効率化も図れる。
【００１７】
本発明に係るダビング装置は、前記前方範囲及び／又は後方範囲の時間を受け付ける時間受付手段を備えることを特徴とする。
本発明にあっては、前方範囲と後方範囲とのいずれか一方又は両方の時間を受け付けるため、時間を受け付けた方の範囲の長さをユーザが自由に調整できるようになる。そのため、ユーザの嗜好に応じた前後の時間調整が可能になり、例えばダビング量が過度にならないように調整すること、ハイライトシーンの前後の範囲を長目に調整することなど、ハイライトシーンを含むダビング部分をさまざまに調整できる。
【００１８】
本発明に係るダビング装置は、ハイライトダビング指示を受け付けた場合、記録媒体への記録時速度より早い速度で動画を早送り再生する手段を備え、前記比較手段は、早送り再生される動画で基準レベルに対する比較を行うようにしてあり、前記ダビング手段がダビングを行うときに動画の再生速度を記録時速度に変更する手段を備えることを特徴とする。
【００１９】
本発明にあっては、比較の際は早送りで動画を再生するため、通常の再生速度で再生される動画に対して比較処理を行う場合に比べてダビングに要する時間を短縮できる。一方ダビングの際は通常の再生速度に変更するので、ダビング内容が悪化することを避けることができ、ダビング処理の効率化を図ってもダビング品質は低下しない。なお、比較及び検出を伴うダビング部分の特定処理と、特定されたダビング部分のダビング処理とは、先に動画の最初から最後まで特定処理を行ってからダビング処理をまとめて行ってもよく、また、特定処理とダビング処理を交互に行ってもよい。
【発明の効果】
【００２０】
本発明にあっては、ハイライトダビング指示の受け付けに応じてレベル超過場面を含むダビング部分をダビングするので、特別な編集作業無しでハイライトに応じた部分を自動的にダビングできるため、ハイライトシーンを集めた記録媒体を容易に作成できる。
【００２１】
本発明にあっては、レベル超過場面の前方範囲と後方範囲とのいずれか一方又は両方をダビング部分に含めるので、ハイライトシーンを含む範囲を確実にダビングできる。
本発明にあっては、レベル超過場面から終点場面までの範囲をダビング部分に含めるので、ハイライトシーンが一定時間連続する場合でも確実にダビングでき、また、レベル超過場面の前方範囲と終点場面の後方範囲とのいずれか一方又は両方をダビング部分に含めるので、ユーザはハイライトシーンへ至る過程又はハイライトシーンの経過後の状況の少なくとも一方を確認でき、ハイライトシーンを一段と楽しむことができる。
【００２２】
本発明にあっては、時間的に前後するダビング部分が重複する場合、前側のダビング部分の開始点から後側のダビング部分の終了点までを連続してダビングするので、重複するダビング部分を一つにまとめてダビング処理の効率化を図れる。
本発明にあっては、前方範囲と後方範囲とのいずれか一方又は両方の時間を受け付けるため、時間を受け付けた方の範囲の時間長さをユーザが自由に調整できる。
【００２３】
本発明にあっては、比較の際は早送りで動画を再生するため、ダビングに要する処理時間の短縮化を実現でき、また、ダビングの際は通常の再生速度に変更するので、ダビング品質が悪化することもない。
【発明を実施するための最良の形態】
【００２４】
図１は、本発明の実施形態に係るダビング装置１の主要な内部構成を示すブロック図である。ダビング装置１は、大記録容量を確保したハードディスク装置７を内蔵すると共にＤＶＤの再生及びＤＶＤへの記録を行うＤＶＤドライブ部８を有し、ハードディスク装置７に記録された動画に含まれるハイライトシーンに応じた部分をＤＶＤへ自動でダビングし、ハイライトシーンを集めたＤＶＤを容易に作成できる機能を有する。以下、ダビング装置１の詳細を説明する。
【００２５】
チューナ部２は、受信アンテナ２ａが接続されており、放送されるテレビジョン信号を受信して、テレビジョン放送の各種番組のデータ（音声を含む動画）を取得し、取得した動画のデータをデータ処理部４へ送る処理を行う。外部機器接続部３は、デジタルビデオカメラ及び動画再生装置（例えば、ＤＶＤプレーヤ）のような外部機器を接続する接続インタフェースであり、外部機器が出力するデータ（音声を含む動画）を取得してデータ処理部４へ送る処理を行う。
【００２６】
データ処理部４は、データの再生出力処理、及び記録処理を主に行う。再生出力処理では、チューナ部２又は外部機器接続部３から送られるデータを処理対象にする場合と、ハードディスク装置７又はＤＶＤから読み出したデータを処理対象にする場合がある。
【００２７】
前者の場合、データ処理部４はチューナ部２及び外部機器接続部３から送られてきたデータを動画の映像信号及び音声信号に随時変換し、変換した映像信号及び音声信号をモニタ接続部５へ出力する。後者の場合、データ処理部４は、ハードディスク装置７又はＤＶＤから読み出されたデータを継続的にコントロール部６を介して受け取り、受け取ったデータの再生変換処理を行って生成した動画の映像信号及び音声信号をモニタ接続部５へ出力する。
【００２８】
なお、記録処理を行う場合、データ処理部４はチューナ部２又は外部機器接続部３から送られてきたデータを処理して記録用のデータに変換し、変換した記録用のデータをコントロール部６へ出力する。また、データ処理部４は外部のテレビジョン装置に図３（ａ）（ｂ）に示すようなメニュー３０、３１を適宜表示するため、ＣＰＵ１０の第１メモリ１０ａに記録されたメニュー画像２１をモニタ接続部５へ送る処理なども行う。
【００２９】
モニタ接続部５は、動画を表示するモニタ画面及び音声を出力するスピーカを備えるテレビジョン装置の接続インタフェースであり、データ処理部４から出力されてきた映像信号及び音声信号などを、接続されたテレビジョン装置へ所定のタイミングで送り、テレビジョン装置で動画の映像表示及び音声出力を行う。
【００３０】
コントロール部６は、バッファメモリ６ａを内蔵し、データ処理部４の処理内容に連動してデータの再生出力用の処理と、データの記録用の処理とを行い、特にダビングの際はデータの再生及び記録の両方の処理を行ってダビングする手段として機能する。データの再生出力用の処理を行う場合、コントロール部６はハードディスク装置７又はＤＶＤドライブ部８から動画のデータを順次、データ処理部４へ送る。また、記録用の処理を行う場合、コントロール部６はデータ処理部４から出力される記録用のデータを記録先となるハードディスク装置７又はＤＶＤドライブ部８へ送る処理を行う。なお、コントロール部６は、処理待ちのデータが生じた場合、処理待ちのデータをバッファメモリ６ａに一時的に記録する。
【００３１】
ハードディスク装置７は、磁気ディスク及び磁気ヘッド等を有するランダムアクセスが可能な記録媒体であり、磁気ディスクに記録されたデータの読み出しと、コントロール部６から送られるデータの磁気ディスクへの記録を行う。
【００３２】
ＤＶＤドライブ部８は、ＤＶＤを受け入れてデータの読み出し又は書き込み（記録）を行うものであり、受け入れたＤＶＤを配置するトレイ、データの読み書きを行うピックアップ、ピックアップの駆動部、ＤＶＤの回転駆動部等を有する。なお、本実施形態のＤＶＤドライブ部８は、データの書き込み可能なディスクとしてＤＶＤ−ＲＷ及びＤＶＤ−Ｒに対応し、ダビング用のデータ書き込み時のフォーマットとしてＤＶＤ−ＲＷにはＶＲフォーマットを適用し、ＤＶＤ−Ｒにビデオフォーマットを適用している。
【００３３】
また、ハイライト検出部９は、データ処理部４で再生される動画のデータに含まれるハイライトに応じた場面を検出するものであり、本実施形態のハイライト検出部９は、再生される動画の音声に基づきハイライトの位置を検出する。
【００３４】
図２は、再生された動画の音声レベルの変化を再生時間に対して表したグラフであり、設定されている基準音声レベルを水平線の破線で示している。ハイライト検出部９は、再生される動画の音声レベルを基準音声レベルに対して比較すると共に、基準音声レベル未満の状態から基準音声レベル以上になる時刻（図２中の時刻ｔ１、ｔ３、ｔ５）をレベル超過場面として検出し、さらに、レベル超過場面から連続して基準レベル以上になる範囲の終点場面に対応する時刻（図２中の時刻ｔ２、ｔ４、ｔ６）を検出する。なお、ハイライト検出部９は、図３（ａ）に示すダビングメニュー３０でハイライトダビングボタン３０ｂが選択された場合に作動して上述の処理を行うようになっており、検出した結果をＣＰＵ１０へ通知する。
【００３５】
また、図１に示す操作部１１はダビング装置１の本体に設けられており、上下左右キー及び決定キーなどの複数のキーを具備し、各キーがユーザに操作されることで、操作指示を受け付けてＣＰＵ１０へ伝える。ＣＰＵ１０に繋がったリモコン受光部１２は、装置本体とは別体のリモコン装置１５からの遠隔操作用の信号光を受光し、受光した内容をＣＰＵ１０へ伝えるものである。なお、リモコン装置１５も上下左右キー及び決定キーなどの複数のキーを具備し、ユーザからの操作指示を受け付け可能にしている。
【００３６】
ＣＰＵ１０は、操作部１１又はリモコン装置１５で受け付けたユーザの操作指示に基づいて各部２〜９の作動状況を制御しており、第１メモリ１０ａ及び第２メモリ１０ｂを内蔵している。第１メモリ１０ａにはＣＰＵ１０ａの制御処理内容を規定したプログラム２０及び図３（ａ）（ｂ）に示す各種メニューに応じたＯＳＤ（On Screen Display）用のメニュー画像２１を予め記録すると共に、設定される基準音声レベルの値なども記録する。また、第２メモリ１０ｂには処理に伴うデータ及びファイル等を一時的に記録する。
【００３７】
第１メモリ１０ａに記録されるプログラム２０は、ＣＰＵ１０ａが行う多数の処理の中でダビング時の処理も勿論規定しており、ハイライトシーンのダビングにおいてＣＰＵ１０が行う処理内容を以下詳説する。
【００３８】
ダビング装置１は起動すると、録画リスト、ダビング、消去、及び予約等の選択可能な処理事項を列挙したスタートメニュー（図示せず）を外部のテレビジョン装置で表示するようにしており、スタートメニューの中からダビングがユーザに選択されると、ＣＰＵ１０は、図３（ａ）に示すダビングメニュー３０をテレビジョン装置に表示する制御処理を行う。
【００３９】
ダビングメニュー３０は、通常ダビングボタン３０ａと、ハイライトダビングボタン３０ｂを有しており、通常ダビングボタン３０ａがユーザの操作により選択された場合、ダビング元及びダビング先の選択、及びダビング対象の選択、ダビング画質の選択などを行うためのメニューを順次、テレビジョン装置に表示して、ユーザの選択された内容に基づき一般的なダビング処理を行うことになる。
【００４０】
一方、ダビングメニュー３０において、ハイライトダビングボタン３０ｂが選択された場合、ＣＰＵ１０はハイライトダビング指示を受け付けたことになり、図３（ｂ）に示すハイライトダビング設定メニュー３１をテレビジョン装置に表示する処理を行う。ハイライトダビング設定メニュー３１は、基準音声レベル調整欄３１ａ、前方範囲調整欄３１ｂ、後方範囲調整欄３１ｃ、ＯＫボタン３１ｄ、及びキャンセルボタン３１ｅを有する。
【００４１】
前方範囲調整欄３１ｂの調整対象である前方範囲とは、図２に示すグラフにおいて、レベル超過場面に相当する時刻ｔ１、ｔ３、ｔ５より時間の進行方向で前方の時間Ｘ１に応じた範囲を意味し、前方範囲調整欄３１ｂでユーザの希望する時間Ｘ１の値を受け付け可能になっている。同様に、後方範囲調整欄３１ｃの調整対象である後方範囲とは、図２のグラフで終点場面に相当する時刻ｔ２、ｔ４、ｔ６より時間の進行方向で後方の時間Ｘ２に応じた範囲を意味し、後方範囲調整欄３１ｃでユーザの希望する時間Ｘ２の値を受け付ける。
【００４２】
前方範囲調整欄３１ｂ及び後方範囲調整欄３１ｃで受け付けた値は、それぞれ時間Ｘ１、時間Ｘ２の値として設定される。なお、時間Ｘ１及び時間Ｘ２は、それぞれデフォルトで３０秒に設定されているが、０秒に設定することも可能である。また、基準音声レベル調整欄３１ａはデフォルトの状態で標準に設定してあり、ユーザの操作により基準音声レベルも適宜増減可能になっている。
【００４３】
各調整欄３１ａ〜３１ｃの設定後、ＯＫボタン３１ｄがユーザに選択されると、設定された内容がＣＰＵ１０の第１メモリ１０ａに書き込まれて次の段階へ進む。一方、キャンセルボタン３１ｅがユーザに選択されると、各調整欄３１ａ〜３１ｃで設定された内容は第１メモリ１０ａに書き込まれることなく次の段階へ進む。
【００４４】
ハイライトダビング設定メニュー３１での設定後は一般的なダビングの場合と同様に、ダビング元及びダビング先の選択、ダビング対象の選択、及びダビング画質の選択などを行うメニューを順次、テレビジョン装置に表示し、ユーザの選択された内容に基づきハイライトシーンのダビング処理を開始することになる。ハイライトシーンのダビング処理において、ＣＰＵ１０は先ず、ダビング元のデータ（動画）を最初から最後まで再生し、ハイライト検出部９の検出結果に基づいてダビング部分（レベル超過場面を含むハイライトシーンに応じた部分）を特定し、それから特定したダビング部分をコントロール部６を用いてダビングする制御処理を行う。
【００４５】
この際、ダビング部分の特定に要する処理時間を短くするため、ＣＰＵ１０は、ハイライト検出部９が比較検出処理を行える再生速度内で且つダビング元のデータを記録する時の通常速度（記録時速度）より早い速度でダビング対象のデータ（動画）を早送り再生するようにコントロール部６の制御を行う。なお、ダビング部分をダビングする際は通常の再生速度に変更している。
【００４６】
具体的なダビング部分の特定に係る処理は、上述したハイライト検出部９による比較検出結果及びハイライトダビング設定メニュー３１で設定された内容に基づいてＣＰＵ１０が行っている。例えば、図２に示す場合では、早送り再生される動画の音声レベルに対してハイライト検出部９は検出したレベル超過場面の時刻ｔ１、終点場面の時刻ｔ２をＣＰＵ１０へ通知し、ＣＰＵ１０は時刻ｔ１から前方へ時間Ｘ１だけ戻った時刻Ｔ１０（ダビング部分の開始点）と時刻ｔ２から後方へ時間Ｘ２だけ進んだ時刻Ｔ１１（ダビング部分の終了点）とで挟まれた範囲をダビング部分に特定し、特定したダビング部分の時刻Ｔ１０、Ｔ１１に応じた位置を第２メモリ１０ｂに記録する。
【００４７】
以降、同様にしてＣＰＵ１０はダビング部分を特定していく。また、複数のダビング部分を特定した場合、ＣＰＵ１０は、時間的に前後するダビング部分が重複するか否かを検出する。詳しくは、前側のダビング部分の終点場面の時刻と後側のレベル超過場面の時刻の間隔が時間Ｘ１及び時間Ｘ２の合計時間以下であるか否かをＣＰＵ１０が判断し、合計時間以下である場合は前後のダビング部分をひとつにまとめる処理を行う。
【００４８】
例えば、図２において、２番目の終点場面の時刻ｔ４と、３番目のレベル超過場面の時刻ｔ５との時間間隔（ｔ５−ｔ４）と、時間Ｘ２及び時間Ｘ１の合計時間（Ｘ２＋Ｘ１）とをＣＰＵ１０は比較する。図２の場合、ＣＰＵ１０は、時間間隔（ｔ５−ｔ４）が合計時間（Ｘ２＋Ｘ１）以下であると判断する。この場合、ＣＰＵ１０は時刻ｔ４から後方へ時間Ｘ２だけ進んだ時刻Ｔ１３ではなく、３番目の終了場面に応じた時刻ｔ６から後方へ時間Ｘ２だけ進んだ時刻Ｔ１４の記録位置を第２メモリ１０ｂに記録して、時刻Ｔ１２（ダビング部分の開始点）から時刻Ｔ１４（ダビング部分の終了点）までの範囲を連続してダビング対象にする。このように前後する検出場面の間隔が短いときは、一つのダビング部分にまとめることで、ダビング装置１は、異なるダビング部分が重複した場面を含むようになることを防止すると共に、近接するダビング部分が細切れになることも防止して、ダビング部分の数を減少しダビング処理の効率化を図る。
【００４９】
上述したダビング部分の特定処理を動画の最後まで行ってから、ＣＰＵ１０はダビング処理を行う。このダビング処理では、第２メモリ１０ｂに記録されている開始点（時刻Ｔ１０、Ｔ１２）及び終了点（時刻Ｔ１１、Ｔ１４）で挟まれたダビング部分のみをダビング元から順次読み出してダビング先へ記録する。なお、本実施形態で使用される記憶媒体（ハードディスク装置７及びＤＶＤ）は、いずれもランダムアクセスが可能なため、上述したように部分的にダビング処理を行う場合でも、素早くダビング部分を読み出してダビング処理を行える。
【００５０】
図４に示す第１フローチャートは、上述したＣＰＵ１０の制御に基づくダビング装置１のダビング処理手順を整理したものである。以下、第１フローチャートに従ってダビング処理の流れを説明する。なお、以下の説明は、ダビング元の記録媒体をハードディスク装置７に設定すると共に、ダビング先の記録媒体をＤＶＤに設定して、ハイライトシーンを集めたＤＶＤを作成する場合に対応したものであり、ハードディスク装置７には、チューナ部２又は外部機器接続部３で取得したダビング対象のデータ（動画）２２が既に記録されているものとする。
【００５１】
先ず、ダビング装置１は、ダビング処理を開始すると図３（ａ）に示すダビングメニュー３０を表示し、ハイライトダビングボタン３０ｂが選択されてユーザからハイライトダビング指示を受け付けたか否かを判断する（Ｓ１）。ハイライトダビング指示を受け付けていない場合（Ｓ１：ＮＯ）、通常ダビング指示を受け付けたか否かを判断し（Ｓ２）、通常ダビング指示を受け付けた場合（Ｓ２：ＹＥＳ）、通常のダビング処理を行って（Ｓ３）、処理を終了する。また、通常ダビング指示を受け付けていない場合（Ｓ２：ＮＯ）、ハイライトダビング指示の受付判断段階（Ｓ１）へ戻る。
【００５２】
ハイライトダビング指示を受け付けた場合（Ｓ１：ＹＥＳ）、図３（ｂ）のハイライトダビング設定メニュー３１を表示して各種設定を行うと共にダビング元及びダビング先の設定、ダビング対象の動画の選択等を受け付けてから（Ｓ４）、ダビング元のハードディスク装置７に記録された動画の早送り再生を最初の場面から最後の場面まで続けて行う（Ｓ５）。この早送り再生処理で、ＣＰＵ１０は比較及びハイライトシーンに応じた部分の検出処理を行ってダビング部分を特定する（Ｓ６）。動画の最後の場面まで早送り再生が終了すると、特定されたダビング部分のみをダビング先のＤＶＤへ記録するハイライトダビング処理を行う（Ｓ７）。
【００５３】
図５に示す第２フローチャートは、図４の第１フローチャートにおけるダビング部の特定（Ｓ６）の詳細な処理の流れを示している。詳しくは、ダビング装置１はダビング部の特定処理をスタートすると、早送り再生される動画の場面の音声レベルが基準音声レベル以上であるか否かを比較判断する（Ｓ１０）。再生場面が基準音声レベル以上であると判断した場合（Ｓ１０：ＹＥＳ）、その再生場面が基準音声レベル以上になった１回目のレベル超過場面であるか否かをＣＰＵ１０が判断する（Ｓ１１）。その再生場面が１回目のレベル超過場面であると判断した場合（Ｓ１１：ＹＥＳ）、ダビング装置１は、先の段階（Ｓ１３）へ処理を進める。
【００５４】
また、その再生場面が１回目のレベル超過場面でないと判断した場合、即ち、２回目以降のレベル超過場面である場合（Ｓ１１：ＮＯ）、基準音声レベル以上のその再生場面（レベル超過場面）の前方範囲の時間Ｘ１と、先に検出した終点場面に係る後方範囲の時間Ｘ２との合計時間が、先の終点場面から今回のレベル超過場面までの時間間隔以上であるか否かを判断する（Ｓ１２）。合計時間が時間間隔以上でない場合（Ｓ１２：ＮＯ）、前方範囲の始まる時刻（例えば、図２の時刻Ｔ１２）をダビング部分の開始点としてＣＰＵ１０の第２メモリ１０ｂに記録し（Ｓ１３）、ダビング部の開始点を特定する。
【００５５】
ダビング部分の開始点の記録（Ｓ１３）の後、又は合計時間が時間間隔以上である場合（Ｓ１２：ＹＥＳ）、ダビング装置１は継続して早送り再生される動画場面の音声レベルが基準音声レベル以下になったか否かを判断する（Ｓ１４）。再生場面の音声レベルが基準音声レベル以下でない場合（Ｓ１４：ＮＯ）、早送り再生を継続して、基準音声レベル以下になったか否かの判断を続ける。また、再生場面の音声レベルが基準音声レベル以下になった場合（Ｓ１４：ＹＥＳ）、その再生場面（終点場面）から後方の後方範囲Ｘ２の終端の時刻に応じた終了点を第２メモリ１０ｂに記録し（Ｓ１５）、ダビング部の終了点を特定する。
【００５６】
終了点の記録（Ｓ１５）の後、又は再生場面の音声レベルが基準音声レベル以上でない場合（Ｓ１０：ＮＯ）、ダビング装置１は動画を最後まで再生したか否かを判断し（Ｓ１６）、最後まで再生していない場合（Ｓ１６：ＮＯ）、再生を継続して再生場面の音声レベルが基準音声レベル以上であるか否かを判断する段階（Ｓ１０）へ戻る。また、動画を最後まで再生した場合（Ｓ１６：ＹＥＳ）、ダビング部の特定処理を終了する。
【００５７】
このようなダビング部の特定処理を行うことで、特定したダビング部の範囲を示す点（図２に示す開始点に応じた時刻Ｔ１０、Ｔ１２、及び終了点に応じた時刻Ｔ１１、Ｔ１４）が第２メモリ１０ｂに順次記録されているので、図４の第１フローチャートにおけるハイライトダビング処理（Ｓ７）では、第２メモリ１０ｂに記録された点を目印にしてダビング元のハードディスク装置７に記録された動画のダビング部分をＤＶＤへダビングする。その結果、ユーザが特別な編集作業を行うことなくハイライトシーンを集めたＤＶＤを容易に作成できる。しかも、作成されたＤＶＤにはハイライトシーンに連なる前後の範囲も含まれているので、このＤＶＤを再生した場合、ハイライトシーンに至る経緯に加えてハイライトシーン後の余韻も確認でき、ハイライトシーンのみを集めた場合に比べて、ユーザが一段とハイライトシーンを楽しめる内容になっている。
【００５８】
また、ハイライトシーンの前後の範囲は、図３（ｂ）のハイライトダビング設定メニュー３１で時間の長短などを調整できるため、ユーザの好みに応じた設定を行うことで、ユーザの嗜好に応じた内容のＤＶＤを手軽に作成できる。
【００５９】
なお、本発明に係るダビング装置１は、上述した形態に限定されるものではなく、種々の変形例の適用が可能である。例えば、ダビング元及びダビング先の記録媒体としては、ハードディスク装置及びＤＶＤ以外に、ＢＤ、ＨＤ  ＤＶＤのような光ディスク、又は半導体メモリを適用でき、この場合は、それらに応じた読み書き部をダビング装置１に設けることになる。
【００６０】
さらに、ダビング部分の設定に係る処理を簡略化する場合は、図３（ｂ）のハイライトダビング設定メニュー３１において、前方範囲調整欄３１ｂと後方範囲調整欄３１ｃのいずれか一方を省略して、前方範囲又は後方範囲の一方だけをダビング部分に含める仕様にしてもよい。さらにまた、ハイライトシーンに応じた部分の検出は、動画の音声レベルと基準音声レベルとの比較で行う以外に、動画の映像内容（例えば、映像中の物体の動きベクトル量、背景の動きベクトル量など）と基準映像レベル（例えば、基準動きベクトル量）との比較結果に基づいて行うことも可能である。
【００６１】
また、図４に示す第１フローチャートの処理手順では、先ず動画を最初から最後まで検出してダビング部分を特定し、それからハイライトダビング処理を一括して行う流れにしているが、再生中の動画から一つダビング部分を特定すると、その特定したダビング部分をダビングするように、ダビング部分の特定処理とダビング処理とを交互に行うようにしてもよい。この場合はダビング部分を特定するために早送り再生していた再生速度を、ダビング時には通常の速度（記録時速度）に変更し、ダビングが終了すると早送り再生に戻して、ダビング対象の動画の再生速度を交互に変更する制御を行う。
【００６２】
さらに、ダビング部分の特定処理の簡易化を図るため、終点場面（図２のグラフで時刻ｔ２、ｔ４、ｔ６に応じた場面）の検出処理を省略することも可能である。この場合は、ダビング装置１は図６（ａ）のグラフに示すように、レベル超過場面（図中の時刻ｔ２０、ｔ２１、ｔ２２に応じた場面）を検出すると、その検出したレベル超過場面が予め設定された時間Ａ（例えば１０秒）以上、継続するか否かをＣＰＵ１０が具備するタイマー機能で検出する。レベル超過場面が時間Ａ以上であれば、レベル超過場面の開始時刻（ｔ２０、ｔ２１、ｔ２２）から時間的に前側の前方範囲（時間Ｘ１０の範囲）、及び時間的に後側の後方範囲（時間Ｘ２０の範囲）を含む部分をダビング部分として特定する。
【００６３】
上述したようにダビング部分を特定する場合でも、時間的に前後するダビング部分が重複するときは、前後するダビング部分を連続した一つのダビング部分にまとめる処理を行う。例えば、図６（ａ）のグラフにおいて、時刻ｔ２２のレベル超過場面の後方範囲（時間Ｘ２０）と、時刻ｔ２３のレベル超過場面の前方範囲（時間Ｘ１０）とが重複する場合（時刻ｔ２２から時刻ｔ２３までの時間間隔が、時間Ｘ２０と時間Ｘ１０の合計時間以下になる場合）、時刻ｔ２２の前方範囲の開始点（時刻Ｔ３４）から時刻ｔ２３の後方範囲の終了点（時刻Ｔ３６）を一つのダビング部分として特定する。
【００６４】
それから、特定した各ダビング部分の開始点（時刻Ｔ３０、Ｔ３２、Ｔ３４）及び終了点（時刻Ｔ３１、Ｔ３３、Ｔ３６）をＣＰＵ１０の第２メモリ１０ｂに記録し、記録した点に基づいてハイライトダビング処理を行う。このように図６（ａ）のグラフに示すパターンでハイライトダビング処理を行うときは、ダビング対象の動画がハイライトシーンを細切れ的に含む場合などに効率良くダビングを行える。
【００６５】
なお、図６（ａ）のグラフで示したダビング部分の特定における全体的なダビング処理の流れは、図４の第１フローチャートに示すように、先ず全てのダビング部分を特定してから、ダビング処理を行ってもよく、また、一つのダビング部分を特定するごとにダビング処理を行ってもよい。後者の場合は、図６（ｂ）に示すようにダビング部分を特定するための早送り再生と、特定したダビング部分をダビングするための通常再生とを繰り返す処理を行うことになる。
【００６６】
また、図２のグラフ及び図６（ａ）のグラフに示すいずれのパターンでダビング部分を特定する場合において、比較及び検出の際に動画を早送り再生しないで、確実に比較及び検出を行えるように通常の再生速度（記録時速度）で動画を再生してダビング部分を特定することも勿論可能である。
【図面の簡単な説明】
【００６７】
【図１】本発明の実施形態に係るダビング装置の主要な内部構成を示すブロック図である。
【図２】音声レベルと基準音声レベルとの比較で検出されるハイライトシーンを含むダビング部分を示すグラフである。
【図３】（ａ）はダビングメニューを示す概略図、（ｂ）はハイライトダビング設定メニューを示す概略図である。
【図４】ダビング時の基本的な処理の流れを示す第１フローチャートである。
【図５】ダビング部の特定処理の流れを示す第２フローチャートである。
【図６】（ａ）は変形例に係るダビング部分を示すグラフ、（ｂ）は一つのダビング部分の特定ごとにダビングを行う場合のハイライトダビング処理のタイムチャートである。
【符号の説明】
【００６８】
１  ダビング装置
４  データ処理部
６  コントロール部
７  ハードディスク装置
８  ＤＶＤドライブ部
９  ハイライト検出部
１０  ＣＰＵ
３０  ダビングメニュー
３１  ハイライトダビング設定メニュー
Ｘ１、Ｘ１０  前方範囲の時間
Ｘ２、Ｘ２０  後方範囲の時間
【図１】
2007174185.tif 000003
【図２】
2007174185.tif 000004
【図３】
2007174185.tif 000005
【図４】
2007174185.tif 000006
【図５】
2007174185.tif 000007
【図６】
2007174185.tif 000008